(57)【要約】【課題】データの読み取り精度を向上することができる光記録媒体を提供する。【解決手段】光ビームの照射により光学的に検知可能な複数の情報ピット１がトラックＴ上に設けられており、かつ上記複数の情報ピット１は、１つの光ビームにより同時に走査可能な複数の情報ピット１を１組とする複数のピット組１１に分けられている、光記録媒体Ｄであって、上記各ピット組１１の複数の情報ピット１の配列態様としては、複数通りの配列態様があり、かつ上記各ピット組１１は、上記複数の情報ピット１の配列に基づいた情報をもつように構成されていることを特徴とする。【選択図】  図２
2004227627.tif 000002
【特許請求の範囲】
【請求項１】
光ビームの照射により光学的に検知可能な複数の情報ピットがトラック上に設けられており、かつ上記複数の情報ピットは、１つの光ビームにより同時に走査可能な複数の情報ピットを１組とする複数のピット組に分けられている、光記録媒体であって、
上記各ピット組の複数の情報ピットの配列態様としては、複数通りの配列態様があり、かつ上記各ピット組は、上記複数の情報ピットの配列に基づいた情報をもつように構成されていることを特徴とする、光記録媒体。
【請求項２】
上記複数のピット組のトラック方向の配列ピッチは一定とされており、かつ上記各ピット組の有無によりさらに情報をもつように構成されている、請求項１に記載の光記録媒体。
【請求項３】
上記複数の情報ピットはそれぞれ、同等の形状およびサイズを有している、請求項１または２に記載の光記録媒体。
【請求項４】
上記ピット組は、２つの情報ピットにより形成されたピット対として構成されており、これら２つの情報ピットは、上記トラックの中心線を挟んでその両側に配置されている、請求項１ないし３のいずれかに記載の光記録媒体。
【請求項５】
請求項１ないし４のいずれかに記載の光記録媒体に光ビームを照射するための手段と、上記光記録媒体からの反射光を受ける受光面が設けられた光検出器とを有している、光情報処理装置であって、
上記受光面は、光ビームの走査方向およびこれと直交する方向に分割されていることにより、複数の光検出領域を有しており、
上記各光検出領域で検知された光の光量に応じた信号に基づいて、上記各ピット組の複数の情報ピットの配列を特定する信号処理手段を有していることを特徴とする、光情報処理装置。
【発明の詳細な説明】
【０００１】
【発明の属する技術分野】
本願発明は、ＣＤ、ＤＶＤあるいはＭＯなど、光学的手段を用いることによってデータの読み出しが可能な光記録媒体、ならびにこの光記録媒体に記録されたデータを読み出すことが可能な光情報装置に関する。
【０００２】
【従来の技術】
光磁気ディスクにおいては、データ記録用のトラックが複数のセクタに区分されている。従来における光ディスクの各セクタの構成の一例を図１５に示す。同図に示すように、各セクタには、データを読み書き可能なデータ記録領域Ｚ１と、各セクタに固有のアドレス情報が固定的に記録されたアドレス記録領域Ｚ２とが設けられている。データ記録領域Ｚ１は、磁界変調方式などの適当な記録方式によってデータ記録がなされる領域であり、磁性体から形成された記録膜を有している。このデータ記録領域Ｚ１には、トラック方向に並ぶようにして複数の記録マークが形成されており、各記録マークは、磁界変調方式などによりそれぞれ定められた磁化方向の違いにより、照射されたレーザビームの偏光角が変化することを利用してデータが読み取られるようになっている。
【０００３】
一方、アドレス記録領域Ｚ２は、凹状または凸状とされた複数の情報ピット１０１を有しており、情報ピット１０１と、情報ピット１０１が形成されていない部分とで照射されたレーザビームの反射光量が異なることを利用して情報が読み取られるようになっている。その記録方式としては、たとえばマークエッジ方式が採用されており、各情報ピット１０１は、長さ変調がなされ、そのトラック方向の長さ（以下、「ピット長」という）をパラメータとした情報をもつ構成とされている。
【０００４】
ところで、近年においては、コンピュータ、通信装置、あるいは映像音響機器などの分野で取り扱われるデータ量はますます増加する傾向にあり、光記録媒体のデータ記憶容量を増大させることが要請されている。そのような要請に応えるには、フォーマット効率を高めることが望まれる。データ記録領域では、磁気超解像再生（ＭＳＲ）技術や、磁区拡大再生技術などによって光の回折限界以下の記録マークを再生することができるため、各記録マークのトラック方向における長さを短くすることができる。しかしながら、アドレス記録領域においては、レーザビームの反射光量の強弱で情報ピットを検出しているので、光の解像限界を超える微小な情報ピットを形成したとしても、これを再生することができない。したがって、アドレス領域Ｚ２が長くなり、フォーマット効率を高めることができないでいた。
【０００５】
そこで、特許文献１のように、複数の情報ピットがその長さ方向に並んでできた２列のピット列を１回のレーザビームの走査により再生できるようにした光記録媒体が提案されている。この光記録媒体を読み取ることが可能な光情報処理装置として、特許文献１には、光記録媒体からの反射光を受光してその受光量に応じた大きさの電流を得るための光検出器が、４つの光検出領域に分割された受光面を有するものが開示されており、このような光情報処理装置によって、デジタルデータの「０」と「１」の切り替わり点を示す各情報ピットの両端のエッジを読み取るように構成されている。
【０００６】
【特許文献１】
特開２０００−３６１６６号公報
【０００７】
【発明が解決しようとする課題】
しかしながら、上記特許文献１に記載の光記録媒体のデータを再生するためには、各ピット列の情報ピットのエッジを検出しなければならず、図１６に示すように１つのビームスポット１１２内に入る複数の情報ピット１０１のエッジを正確に検出することは、困難な場合がある。したがって、このような光記録媒体のデータの再生時には、正確な読み取りを行うことができない場合がある。
【０００８】
本願発明は、上記した事情のもとで考え出されたものであって、データの読み取り精度を向上することができる光記録媒体、およびこの光記録媒体を読み取り可能な光情報処理装置を提供することをその課題とする。
【０００９】
【発明の開示】
上記課題を解決するため、本願発明では、次の技術的手段を講じている。
【００１０】
すなわち、本願発明の第１の側面により提供される光記録媒体は、光ビームの照射により光学的に検知可能な複数の情報ピットがトラック上に設けられており、かつ上記複数の情報ピットは、１つの光ビームにより同時に走査可能な複数の情報ピットを１組とする複数のピット組に分けられている、光記録媒体であって、上記各ピット組の複数の情報ピットの配列態様としては、複数通りの配列態様があり、かつ上記各ピット組は、上記複数の情報ピットの配列に基づいた情報をもつように構成されていることを特徴としている。
【００１１】
上記ピット組は、たとえば、２つの情報ピットにより形成されたピット対として構成されており、これら２つの情報ピットは、上記トラックの中心線を挟んでその両側に配置されている。
【００１２】
本願発明の第２の側面によって提供される光情報処理装置は、本願発明の第１の側面に係る光記録媒体に光ビームを照射するための手段と、上記光記録媒体からの反射光を受ける受光面が設けられた光検出器とを有している、光情報処理装置であって、上記受光面は、光ビームの走査方向およびこれと直交する方向に分割されていることにより、複数の光検出領域を有しており、上記各光検出領域で検知された光の光量に応じた信号に基づいて、上記各ピット組の複数の情報ピットの配列を特定する信号処理手段を有していることを特徴としている。
【００１３】
たとえば、上記受光面は、４つの光検出領域を有しており、上記信号処理手段は、上記各光検出領域で出力された信号を加算して得られる和信号と、上記４つの光検出領域のうち互いに対角な位置関係にある２つの光検出領域で出力された信号の和から残りの２つの光検出領域で出力された信号の和を減算して得られる差分信号とに基づいて、上記情報ピットの配列を特定するように構成されている。
【００１４】
本願発明によれば、上記光記録媒体は、上記各情報ピットのエッジ位置を検出することによってデータの読み取りが行われるのではなく、上記ピット組における複数の情報ピットの配列を特定することによってデータの読み取りが行われるので、特許文献１に記載のものとは異なり、そのような検出を１つの光ビームにより行うことが容易なものとなる。したがって、上記光記録媒体は、そのデータ再生に際して、読み取り処理がより正確に行われる。このような光記録媒体に対しては、上記光情報処理装置によりそのデータ再生が可能である。
【００１５】
本願発明の好ましい実施の形態においては、上記複数のピット組のトラック方向の配列ピッチは一定とされており、かつ上記各ピット組の有無によりさらに情報をもつように構成されており、光記録媒体の記録密度の向上を図ることができる。
【００１６】
本願発明の他の好ましい実施の形態においては、上記複数の情報ピットはそれぞれ、同等の形状およびサイズを有したものとすることができる。このような構成によれば、上記情報ピットを単純なものとすることができ、上記光記録媒体上への上記情報ピットの誤形成、あるいは上記情報ピットの読み取りミスを防止することが可能となる。
【００１７】
本願発明の他の好ましい実施の形態においては、上記各情報ピットのトラック方向のピット長は、光ビームの上記記録面への照射により形成されるビームスポットの直径の１／４倍以上かつ１倍以下となるように形成されている。
【００１８】
本願発明の他の好ましい実施の形態においては、上記複数の情報ピットの配列態様としては、上記２つの情報ピットがトラック方向にシフトすることなくトラッキング方向に並んだ配列と、上記２つの情報ピットがトラック方向に互いにシフトしてトラッキング方向に並んだ配列とがある。
【００１９】
本願発明の他の好ましい実施の形態においては、上記ピット対のうち、上記２つの情報ピットがトラック方向に互いにシフトしてトラッキング方向に並んだ配列とされたものは、上記２つの情報ピットの中心間距離が上記情報ピットのピット長の１／２倍以上３／２倍以下とされている。
【００２０】
情報ピットのピット長および情報ピットの中心間距離についての上記した範囲は、発明者の実験により導かれたものである。上記範囲によれば、上記差分信号を比較的大とすることが可能であることが実験により明らかとなった。したがって、上記光記録媒体で反射して上記光情報処理装置に受光される光に多少のノイズが含まれていたとしても、この光記録媒体上のデータを正確に再生することが可能である。その結果、データの読み取り精度をさらに向上することができる。
【００２１】
本願発明のその他の特徴および利点については、以下に行う発明の実施の形態の説明から、より明らかになるであろう。
【００２２】
【発明の実施の形態】
以下、本願発明の好ましい実施の形態について、図面を参照して具体的に説明する。
【００２３】
図１は、本願発明に係る光記録媒体の一例を示している。この光記録媒体は、光磁気ディスクＤとして構成されており、その両面または片面にはデータ記録用の螺旋状のトラックＴが設けられている。トラックＴは、トラック方向Ｔｃに延びる複数のセクタに区分されており、各セクタには、固定的に形成された複数の情報ピット１を設けたアドレス領域Ａ１と、たとえば磁界変調方式によって磁化方向が定められる複数の情報マークＭを設けたデータ記録領域Ａ２と、複数の基準ピット２が設けられた基準データ領域Ａ３とが形成されている。
【００２４】
データ記録領域Ａ２には、光磁気ディスクＤの厚み方向に高低差を有する複数ずつのグルーブＧおよびランドＬが設けられている。このデータ記録領域Ａ２への記録方式としては、ランドＬおよびグルーブＧのそれぞれにデータ記録を行うランド・グルーブ方式が採用されており、上記情報マークＭは、ランドＬおよびグルーブＧの双方においてトラック方向Ｔｃに並べられるように形成される。ただし、本願発明は、これに代えて、たとえば互いに隣り合うトラックＴ間でのクロストークおよびクロスライトを確実に防止することを目的として、たとえば各グルーブＧのみにデータを書き込む方式を採用することもできる。なお、この場合、ランドトラック上には、基準データ領域Ａ３およびアドレス領域Ａ１が不要である。
【００２５】
アドレス領域Ａ１の各情報ピット１は、たとえばその周辺部に対して段差を有する円形あるいは楕円形の凸状である。ただし、各情報ピット１の形状は、これに限定されるものではなく、たとえば矩形状とすることもできる。各情報ピット１を凹状に形成することも可能である。このような情報ピット１に対物レンズなどにより集光されたレーザビームが入射すると、光干渉と光回折が生じて、その対物レンズに戻っていく光量が減少し、これにより、情報ピット１の有無が検出される。
【００２６】
このような情報ピット１は、トラックＴの中心線Ｓを挟んで互いに隣り合う２つのものがピット対１１を形成している。ピット対１１を構成する２つの情報ピット１ａ，１ｂは、１つのレーザビームにより同時に走査されるように、互いに近接して配置されている。各ピット対１１の情報ピット１ａ，１ｂの配列態様としては、複数通りの配列態様があり、光磁気ディスクＤは、これら複数の情報ピット１ａ，１ｂの配列に基づいて情報をもつように形成される。なお、この光磁気ディスクＤでは、ピット対１１の有無によりさらに情報をもつように構成されている。上記した構成は、本実施形態において重要であり、この点に関して、より詳細に説明する。
【００２７】
まず、図２（ａ）〜図２（ｄ）に示すように、ピット対１１は、各情報ピット１ａ，１ｂが以下の４通りの配列をとることにより４値の情報をもつ構成とされている。すなわち、情報ピット１ａと情報ピット１ｂとがトラック方向Ｔｃにおいて位置ずれすることなく並んでいる場合（ピット対１１Ａ）。情報ピット１ａが、情報ピット１ｂに対して図２における左側に所定のずれ量でシフトしている場合（ピット対１１Ｂ）。情報ピット１ａが、情報ピット１ｂに対して図２における右側に上記所定のすれ量でシフトしている場合（ピット対１１Ｃ）。情報ピット１ａ，１ｂの双方が無い場合（ピット対１１Ｄ）。
【００２８】
このようなピット対１１は、トラック方向Ｔｃの配列ピッチが一定となるように配置されている。各情報ピット１は、それぞれが同等な形状およびサイズを有するものとして形成されており、ピット対１１が、上記ピット対１１Ａ〜１１Ｃである場合に、レーザビームが光磁気ディスクＤに照射されることにより形成されるビームスポット１２内に、情報ピット１ａ，１ｂの双方が収まるように形成されている。具体的には、図３（ａ）〜図３（ｉ）に示すように、情報ピット１のトラック方向Ｔｃにおける長さ（ピット長）ｓは、ビームスポット１２の直径φの（１／４）倍以上１倍以下となるように規定されている。なお、情報ピット１のトラッキング方向Ｔｇにおける長さ（ピット幅）は、ビームスポット１２の直径φの（１／４）倍程度とされており、各情報ピット１は、この光磁気ディスクＤでは、それぞれ同等のサイズとなるように形成されている。
【００２９】
上記所定のずれ量については、トラック方向における情報ピット１ａおよび情報ピット１ｂの中心間距離ｄが、上記ピット長ｓの（１／２）倍以上（３／２）倍以下となるように規定されている。
【００３０】
上記基準データ領域Ａ３は、クロック信号やトラッキング制御用の信号を作成するための領域であって、図１に示すように、光磁気ディスクＤの各セクタの先頭部分やデータ記録領域Ａ２どうしの間に適当な間隔で設けられている。この基準データ領域Ａ３に形成された複数の基準ピット２は、情報ピット１と同様に、たとえば円形あるいは楕円形の凸状とされているが、情報ピット１とは異なり、レーザビームの走査線となるべきライン上に一定間隔で設けられる所定の基準点に対してトラック方向Ｔｃおよびトラッキング方向Ｔｇのいずれの方向にもシフトされていない。したがって、この基準ピット２自体の位置が所定の基準点を示すこととなる。
【００３１】
次に、上記構成を有する光磁気ディスクＤに記録されたデータを読み出すことが可能な光情報処理装置について説明する。
【００３２】
図４は、本願発明に係る光情報処理装置の一例を示す概略図である。この光情報処理装置Ｂは、上記した光磁気ディスクＤを支持して高速回転させるスピンドルモータＳＭを有しており、レーザ光源３０から発せられた光がコリメータレンズ３１によって断面視円形の平行光とされてから、偏光ビームスプリッタ３２および１／４波長板３３を順次通過し、対物レンズ３４に入射するように構成されている。対物レンズ３４に入射したレーザビームは、光磁気ディスクＤの記録層（トラック）上にビームスポットを形成するように集束される。上記記録層からの反射光（以下、「戻り光」という）は、対物レンズ３４を経て１／４波長板３３を通過する。これにより、戻り光は、対物レンズ３４を通過して光磁気ディスクＤ上に集光された光に対して偏光方向が９０°回転した偏光光とされ、偏光ビームスプリッタ３２で反射することによって光検出器３５に向かって進行する。
【００３３】
上記光検出器３５は、上記戻り光を受けるための受光面３６を有している。この受光面３６は、図５に示すように、上記戻り光が洩れなく受光される程度の広さとされており、トラック方向Ｔｃおよびトラッキング方向Ｔｇに等分割されて、４つの光検出領域３６Ａ〜３６Ｄを有している。すなわち、この受光面３６において、光検出領域３６Ａ〜３６Ｄは同等の広さとされており、光検出領域３６Ａおよび光検出領域３６Ｄが互いに対角な位置関係となるように、かつ光検出領域３６Ｂおよび光検出領域３６Ｃが互いに対角な位置関係となるように配置されている。これらの光検出領域３６Ａ〜３６Ｄがそれぞれ光を受けると、その受光量に対応した大きさの電流が得られ、この電流を図示しない変換器で変換することにより、上記受光量に対応した電圧レベルの信号ＶＡ〜ＶＤがそれぞれ得られるように構成されている。
【００３４】
ここで、上記ピット対１１Ａ〜１１Ｄのそれぞれからの戻り光を上記受光面３６で受光させたときの上記信号ＶＡ〜ＶＤがとる値について考えてみる。
【００３５】
図６（ａ）に示したピット対１１Ａからの戻り光を受光面３６が受光した場合、受光面３６上の光の強度分布は、図６（ｂ）に示すように、トラッキング方向Ｔｇおよびトラック方向Ｔｃの双方において線対称となるため、信号ＶＡ〜ＶＤはそれぞれ同等の値をとる。図７（ａ）に示したピット対１１Ｂからの戻り光を受光面３６が受光した場合、受光面３６上の光の強度分布は、図７（ｂ）に示すように、受光面３６の中心に点対称となりかつ光検出領域３６Ｃから光検出領域３６Ｂにかけて光量が少ない部分が広がっているため、信号ＶＡと信号ＶＤとが同等の値をとるとともに信号ＶＢと信号ＶＣとが同等の値をとり、かつ、信号ＶＢおよび信号ＶＣのそれぞれが信号ＶＡおよび信号ＶＤのそれぞれよりも小さくなる。図８（ａ）に示したピット対１１Ｃからの戻り光を受光面３６が受光した場合、受光面３６上の光の強度分布は、図８（ｂ）に示すように、受光面３６の中心に点対称となりかつ光検出領域３６Ａから光検出領域３６Ｄにかけて光量が少ない部分が広がっているため、信号ＶＡと信号ＶＤとが同等の値をとるとともに信号ＶＢと信号ＶＣとが同等の値をとり、かつ、信号ＶＡおよび信号ＶＤのそれぞれが信号ＶＢおよび信号ＶＣのそれぞれよりも小さくなる。また、図９（ａ）に示したピット対１１Ｄからの戻り光を受光面３６が受光した場合、すなわち光磁気ディスクＤにおける情報ピット１が形成されていない領域からの戻り光を受光面３６が受光した場合、信号ＶＡ〜ＶＤは、それぞれ同等な比較的大きな値をとる。
【００３６】
このように、４つの信号ＶＡ〜ＶＤのそれぞれの値の組み合わせは、各ピット対１１Ａ〜１１Ｄに応じてパターン化されるのがわかる。換言すれば、信号ＶＡ〜ＶＤの値の組み合わせパターンによってピット対１１Ａ〜１１Ｄを特定することが可能となる。
【００３７】
具体的には、光情報処理装置Ｂでは、まず、信号処理部３７において、上記信号ＶＡ〜信号ＶＤまでを加算した和信号Ｖ１と、信号ＶＡおよび信号ＶＤの和から信号ＶＢおよび信号ＶＣの和を減算した差分信号Ｖ２と、が算出される。図１０（ａ）に示すように、レーザビームの走査線上にピット対１１Ａ，１１Ｂ，１１Ｃ，１１Ｄが順に並んでいるものとすると、レーザビームの走査にともなって、上記和信号Ｖ１および差分信号Ｖ２はそれぞれ、図１０（ｂ）および図１０（ｃ）に示す波形４１および４２に表された値を出力する。上記波形４１において、レーザビームがピット対１１Ａ，１１Ｂ，１１Ｃ上に差し掛かったときの和信号Ｖ１は、その周囲の値に比して突出した値をとる。したがって、任意のしきい値ＥＡで和信号Ｖ１の波形をスライスすることにより、ピット対１１Ａ，１１Ｂ，１１Ｃを特定可能なデジタル波形を形成することができ、これを図１０（ｄ）において符号４３Ａで示す。このデジタル波形４３Ａにおいて、ピット対１１Ａ，１１Ｂ，１１Ｃを表すデジタルデータは「１」とされており、それ以外は「０」とされている。
【００３８】
また、図１０（ｃ）に示す波形４２において、レーザビームがピット対１１Ｂ，１１Ｃ上に差し掛かったとき、差分信号Ｖ２は、その周囲の値に比して突出した値をとる。このとき、ピット対１１Ｂに対応した差分信号Ｖ２Ｂと、ピット対１１Ｃに対応した差分信号Ｖ２Ｃとでは、その突出方向が逆となる。したがって、２つの任意のしきい値ＥＢ，ＥＣで差分信号Ｖ２の波形４２をスライスすることにより、ピット対１１Ｂおよびピット対１１Ｃのそれぞれを特定可能な２つのデジタル波形を形成することができる。前者のデジタル波形を図１０（ｅ）において符号４３Ｂで示し、後者のデジタル波形を図１０（ｆ）において４３Ｃで示す。デジタル波形４３Ｂにおいては、ピット対１１Ｂを表すデジタルデータのみが「１」とされ、それ以外は「０」とされる。デジタル波形４３Ｃにおいては、ピット対１１Ｃを表すデジタルデータのみが「１」とされ、それ以外は「０」とされる。
【００３９】
なお、上記ピット対１１Ｄは、上記デジタル波形４３Ａ，４３Ｂ，４３Ｃにおいては、光磁気ディスクＤにおけるピット対１１が形成されていない未形成領域と同様に、デジタルデータ「０」として表されることになるが、各ピット対１１は、上述したように、トラック方向Ｔｃの配列ピッチが一定とされているので、上記デジタル波形４３Ａ，４３Ｂ，４３Ｃの値を周期的にサンプリングすることによって、ピット対１１Ｄに該当するデジタルデータと上記未形成領域に該当するデジタルデータとを区別して取り扱うことができる。
【００４０】
以上のことから、デジタル波形４３Ａ，４３Ｂ，４３Ｃを周期的にサンプリングして得たデジタルデータを順に並べることにより形成した３桁の二進数によって、ピット対１１Ａ〜１１Ｄを表すことができる。すなわち、ピット対１１Ａは「１００」、ピット対１１Ｂは「１１０」、ピット対１１Ｃは「１０１」、そしてピット対１１Ｄは「０００」と表される。以上のように、信号ＶＡ〜ＶＤからピット対１１Ａ〜１１Ｄを特定する情報を得ることができる。
【００４１】
ところで、上記受光面３６は、４つの光検出領域３６Ａ〜３６Ｂに分割されているため、受光面３６で受光した戻り光に比較的大きなノイズが含まれている場合は、その影響を受けて上記差分信号Ｖ２を算出する際に誤差が生じやすくなり、光磁気ディスク上のデータを正確に再生するのが困難となる。このような問題は、より大きな差分信号Ｖ２を得ることにより解決することができる。図１１は、（情報ピット１のピット長ｓ）／（ビームスポット１２の直径φ）と、差分信号Ｖ２との関係を示すグラフ、図１２は、（ピット対１１Ｂ，１１Ｃを構成する２つの情報ピット１ａ，１ｂのトラック方向Ｔｃにおける中心間距離ｄ）／（情報ピット１のピット長ｓ）と、差分信号Ｖ２との関係を示すグラフである。
【００４２】
図１１に示すように、（情報ピット１のピット長ｓ）／（ビームスポット１２の直径φ）が１／４〜１の範囲にある場合、すなわち、情報ピット１のピット長ｓがビームスポット１２の直径φの（１／４）倍以上１倍以下である場合、差分信号Ｖ２が比較的大きくなり、多少のノイズが含まれていても正確にデータを再生可能な光磁気ディスクＤを得ることが可能となる。換言すれば、ノイズに強い光磁気ディスクＤを得るため、情報ピット１のピット長ｓを前出のようにビームスポット１２の直径φの（１／４）倍以上１倍以下と規定しているのである。
【００４３】
また、図１２に示すように、中心間距離ｄ／ピット長ｓが１／２〜３／２の範囲にある場合も、差分信号Ｖ２が比較的大きくなり、このことから、光磁気ディスクＤでは、中心間距離ｄを前出のようにピット長ｓの（１／２）倍以上（３／２）倍以下と規定しているのである。
【００４４】
次に、光磁気ディスクＤに上記したピット対１１を形成する方法について説明する。
【００４５】
図１３は、光磁気ディスクＤにピット対１１を形成する手順を示すフローチャートである。ピット対１１を形成するには、まず、光磁気ディスクＤの原盤Ｄ′上にフォトレジストを塗布した後（Ｋ１）、９０℃でベーキング処理を施し（Ｋ２）、フォトレジスト内の溶剤を除去する。次いで、図１４に示す露光装置５を用いてフォトレジストを所定のパターンに露光した後（Ｋ３）、現像処理を行い（Ｋ４）、フォトレジストの不用部分を除去することによって、光磁気ディスクＤにピット対１１が形成される。
【００４６】
上記露光装置５は、露光するための光源としてレーザ光源５１を有しており、レーザ光源５１から発せられた光が、以下のようにして光磁気ディスクＤの原盤Ｄ′上のフォトレジストに照射されるように構成されている。すなわち、レーザ光源５１からの光は、ハーフミラー５２などにより２つの光５０Ａ，５０Ｂに分光された後、それぞれがパワーコントローラ５３Ａ，５３Ｂを経ることによってビーム強度が制御される。これら２つのビーム５０Ａ′，５０Ｂ′は、それぞれ変調器５４Ａ，５４Ｂおよび偏向器５８Ａ，５８Ｂを介して、１つの対物レンズ５５を通過することによって、スピンドルモータ５６によりブレなく回転させられている原盤Ｄ′上に集光され、フォトレジストを露光する。
【００４７】
上記ビーム５０Ａ′，５０Ｂ′は、原盤Ｄ′上に対して半径方向に並ぶように集光され、上記ピット対１１を構成する情報ピット１Ａ，１Ｂに対応するようにしてフォトレジストを露光する。変調器５４Ａ，５４Ｂは、ビーム５０Ａ′，５０Ｂ′の通過を許容（ＯＮ）または制限（ＯＦＦ）するシャッターとしての役割を果たす機器であって、入力されたパルス信号に応じて所望のタイミングでＯＮ・ＯＦＦを切り換えるようになっている。ここで、ビーム変調器５４Ａ，５４Ｂに対して予め定めておいたパルス信号を入力することによって、所望のピット対１１Ａ〜１１Ｄに応じた露光パターンを形成することが可能となる。また、偏向器５８Ａ，５８Ｂを通すことによって、ビーム５０Ａ′，５０Ｂ′を半径方向に変位させてグルーブＧおよび基準ピット２のパターンを形成することができる。上記対物レンズ５５は、原盤Ｄ′の表面から所定の間隔をあけて浮上するスライダ５７に備えられており、回転する原盤Ｄ′に対してスライダ５７を半径方向に移動させることによって、螺旋状を呈したトラックに沿って露光パターンを形成することができるようになっている。このようにして、光磁気ディスクＤの原盤Ｄ′上に所望のピット対１１を形成して、データを記録することができる。
【００４８】
本願発明において、上記ピット対１１には、情報ピット１ａ，１ｂがトラック方向Ｔｃにおいて互いにシフトした位置関係を有するものが含まれている。このようなピット対１１Ｂ，１１Ｃにおいて、データの読み取りは、１つのビームスポットにより、情報ピット１ａ，１ｂのエッジが検出されることによって行われるのではなく、情報ピット１ａ，１ｂの配列が特定されることによって行われているため、特許文献１に記載のものとは異なり、その検出を容易に行うことができる。したがって、上記光磁気ディスクＤの再生に際して、より正確にデータの読み取りを行うことができる。
【００４９】
また、光磁気ディスクＤは、情報ピット１のピット長ｓがビームスポット１２の直径φの（１／４）倍以上１倍以下、および／または、情報ピット１ａ／１ｂの中心間距離ｄがピット長ｓの（１／２）倍以上（２／３）倍以下に規定されており、上記したようにして算出された差分信号Ｖ２を比較的大とすることができる。したがって、光磁気ディスクＤをノイズに強いものとすることができ、データの読み取り精度をさらに向上することができる。
【００５０】
本願発明の内容は、上述した実施の形態に限定されない。本願発明に係る光記録媒体および光情報処理装置の各部の具体的な構成は、種々に設計変更自在である。
【００５１】
本願発明においては、光記録媒体のトラックに記録されるべきデータの少なくとも一部分が本願発明が意図するピット対（ピット組）によって記録されていればよく、光記録媒体に記録されるべき全てのデータが上記したピット対によって記録されている構成とすることもできる。１つのピット対に持たせる情報量は適宜選択できる項目であり、上記実施形態のように１つのピット対に４値の情報をもたせなくてもよい。
【００５２】
上記した実施の形態では、光磁気ディスクを具体例として挙げたが、本願発明はこれに限定されず、ＣＤやＤＶＤなどの光ディスクにも本願発明を適用することができる。また、光記録媒体は、ディスク状ではなく、カード状の形態を有するものとして構成されていてもかまわない。
【００５３】
本願発明は、次の付記のような構成とすることができる。
［付記１］  光ビームの照射により光学的に検知可能な複数の情報ピットがトラック上に設けられており、かつ上記複数の情報ピットは、１つの光ビームにより同時に走査可能な複数の情報ピットを１組とする複数のピット組に分けられている、光記録媒体であって、
上記各ピット組の複数の情報ピットの配列態様としては、複数通りの配列態様があり、かつ上記各ピット組は、上記複数の情報ピットの配列に基づいた情報をもつように構成されていることを特徴とする、光記録媒体。
［付記２］  上記複数のピット組のトラック方向の配列ピッチは一定とされており、かつ上記各ピット組の有無によりさらに情報をもつように構成されている、付記１に記載の光記録媒体。
［付記３］  上記複数の情報ピットはそれぞれ、同等の形状およびサイズを有している、付記１または２に記載の光記録媒体。
［付記４］  上記ピット組は、２つの情報ピットにより形成されたピット対として構成されており、これら２つの情報ピットは、上記トラックの中心線を挟んでその両側に配置されている、付記１ないし３のいずれかに記載の光記録媒体。
［付記５］  上記各情報ピットのトラック方向のピット長は、光ビームの上記記録面への照射により形成されるビームスポットの直径の１／４倍以上かつ１倍以下となるように形成されている、付記４に記載の光記録媒体。
［付記６］  上記複数の情報ピットの配列態様としては、上記２つの情報ピットがトラック方向にシフトすることなくトラッキング方向に並んだ配列と、上記２つの情報ピットがトラック方向に互いにシフトしてトラッキング方向に並んだ配列とがある、付記４または５に記載の光記録媒体。
［付記７］  上記ピット対のうち、上記２つの情報ピットがトラック方向に互いにシフトしてトラッキング方向に並んだ配列とされたものは、上記２つの情報ピットの中心間距離が上記情報ピットのピット長の１／２倍以上３／２倍以下とされている、付記６に記載の光記録媒体。
［付記８］  付記１ないし７のいずれかに記載の光記録媒体に光ビームを照射するための手段と、上記光記録媒体からの反射光を受ける受光面が設けられた光検出器とを有している、光情報処理装置であって、
上記受光面は、光ビームの走査方向およびこれと直交する方向に分割されていることにより、複数の光検出領域を有しており、
上記各光検出領域で検知された光の光量に応じた信号に基づいて、上記各ピット組の複数の情報ピットの配列を特定する信号処理手段を有していることを特徴とする、光情報処理装置。
［付記９］  上記受光面は、４つの光検出領域を有しており、
上記信号処理手段は、上記各光検出領域で出力された信号を加算して得られる和信号と、上記４つの光検出領域のうち互いに対角な位置関係にある２つの光検出領域で出力された信号の和から残りの２つの光検出領域で出力された信号の和を減算して得られる差分信号とに基づいて、上記情報ピットの配列を特定するように構成されている、付記８に記載の光情報処理装置。
【００５４】
【発明の効果】
以上の説明から理解されるように、本願発明によれば、データの読み取り精度を向上することができる光記録媒体、およびこの光記録媒体を読み取り可能な光情報処理装置を提供することができる。
【図面の簡単な説明】
【図１】本願発明に係る光記録媒体の一例を示す説明図である。
【図２】（ａ）〜（ｄ）は、図１におけるピット対を説明するための平面図である。
【図３】図１におけるピット対を説明するための平面図である。
【図４】本願発明に係る光情報処理装置の概略構成の一例を示す説明図である。
【図５】図４における光検出器に備えられた受光面を示す説明図である。
【図６】（ａ）は、ピット対を示す説明図であり、（ｂ）は、その際に得られる反射光の光の強度分布を示す説明図である。
【図７】（ａ）は、ピット対を示す説明図であり、（ｂ）は、その際に得られる反射光の光の強度分布を示す説明図である。
【図８】（ａ）は、ピット対を示す説明図であり、（ｂ）は、その際に得られる反射光の光の強度分布を示す説明図である。
【図９】（ａ）は、ピット対を示す説明図であり、（ｂ）は、その際に得られる反射光の光の強度分布を示す説明図である。
【図１０】情報ピットの再生処理の方法を説明するための図であり、（ａ）は、任意のピット列を示し、（ｂ）は、（ａ）に対応した和信号を示し、（ｃ）は、（ａ）に対応した差分信号を示し、（ｄ）は、（ｂ）をスライスすることにより得られたデジタル波形を示し、そして（ｅ）および（ｆ）は、（ｃ）をスライスすることにより得られたデジタル波形を示す。
【図１１】ビームスポット径および情報ピットのピット長と、差分信号との関係を説明するためのグラフである。
【図１２】ピット対内における情報ピットの中心間距離および情報ピットのピット長と、差分信号との関係を説明するためのグラフである。
【図１３】光記録媒体の原盤に情報ピットを形成する手順を示すフローチャートである。
【図１４】露光装置の概略構成の一例を示す説明図である。
【図１５】従来技術の一例を示す説明図である。
【図１６】従来技術の一例を示す説明図である。
【符号の説明】
Ｄ              光磁気ディスク（光記録媒体）
Ｔ              トラック
Ｌ              走査線
Ｂ              光情報処理装置
１，１Ａ，１Ｂ  情報ピット
１１            ピット対（ピット組）
３５            光検出器
３６            受光面
３６Ａ〜３６Ｄ  光検出領域
【図１】
2004227627.tif 000003
【図２】
2004227627.tif 000004
【図３】
2004227627.tif 000005
【図４】
2004227627.tif 000006
【図５】
2004227627.tif 000007
【図６】
2004227627.tif 000008
【図７】
2004227627.tif 000009
【図８】
2004227627.tif 000010
【図９】
2004227627.tif 000011
【図１０】
2004227627.tif 000012
【図１１】
2004227627.tif 000013
【図１２】
2004227627.tif 000014
【図１３】
2004227627.tif 000015
【図１４】
2004227627.tif 000016
【図１５】
2004227627.tif 000017
【図１６】
2004227627.tif 000018